(57)【要約】【課題】  カプセル化文書の作成を簡単な設備で容易に行うことができるようにする。【解決手段】  ネットワーク１０に画像入力装置１が接続されると共に、同じネットワーク１０に端末装置となるパーソナルコンピュータ（ＰＣ）２、３、４が接続されて、ワークフローシステム１００が構成される。そして、このワークフローシステム１００を構成する画像入力装置１に印刷媒体となる紙文書５が挿入されると、この紙文書５に記載された画像情報が画像入力装置１の画像入力手段で読取られ、カプセル化文書ファイル６が作成されて、パーソナルコンピュータ（ＰＣ）２、３、４に送信される。さらに、カプセル化文書ファイル６を受信したパーソナルコンピュータ（ＰＣ）２、３、４では、カプセル化文書ファイル６内にある処理プログラムを実行してワークフロー処理を行う。【選択図】        図１
2007034406.tif 000002
【特許請求の範囲】
【請求項１】
印刷媒体を併用して運用されるワークフローシステムを構成する画像入力装置であって、
前記印刷媒体の画像情報を読取る画像入力手段と、
前記画像入力手段で読取った画像情報を参照して前記印刷媒体に対応した任意の処理プログラムを検出する処理プログラム検出手段と、
前記画像入力手段で読取った画像情報及び前記処理プログラム検出手段で検出された処理プログラムをカプセル化してカプセル化文書を作成するカプセル化文書作成手段と、
前記カプセル化文書作成手段で作成したカプセル化文書を送信する送信手段と
を有することを特徴とする画像入力装置。
【請求項２】
請求項１記載の画像入力装置において、
前記印刷媒体に対応した前記任意の処理プログラムを保管する処理プログラム保管手段を有し、
前記処理プログラム検出手段にて前記画像入力手段で読取った画像情報を参照して検出した前記印刷媒体に対応する前記任意の処理プログラムを前記処理プログラム保管手段から取り出し、
前記取り出された前記任意の処理プログラムを前記カプセル化文書作成手段に供給する
ことを特徴とする画像入力装置。
【請求項３】
請求項１記載の画像入力装置において、
前記印刷媒体に加筆された加筆情報を検出する加筆情報検出手段と、
前記加筆情報検出手段で検出した加筆情報を参照して前記画像情報と共にカプセル化される処理プログラムの設定を行う処理プログラム設定手段と
を有することを特徴とする画像入力装置。
【請求項４】
請求項１記載の画像入力装置において、
前記処理プログラムの設定を指示する処理プログラム設定指示手段と、
前記処理プログラム設定指示手段で指示した設定情報を参照して前記画像情報と共にカプセル化される処理プログラムの設定を行う処理プログラム設定手段と
を有することを特徴とする画像入力装置。
【請求項５】
請求項３または４に記載の画像入力装置において、
前記処理プログラム設定手段はワークフロー処理におけるカプセル化文書の送信先情報を設定する
ことを特徴とする画像入力装置。
【請求項６】
請求項３または４に記載の画像入力装置において、
前記処理プログラム設定手段はワークフロー処理におけるカプセル化文書の操作処理権限情報を設定する
ことを特徴とする画像入力装置。
【請求項７】
請求項１〜６のいずれか一項に記載の画像入力装置において、
前記画像入力手段で前記印刷媒体を読取る際に前記カプセル化文書の作成の指示を行うカプセル化文書作成指示手段をさらに有する
ことを特徴とする画像入力装置。
【請求項８】
画像入力装置と端末装置と有するワークフローシステムに併用される印刷媒体であって、
前記画像入力装置の画像入力手段で読取られる画像情報が設けられると共に、前記画像情報は前記画像入力装置の処理プログラム検出手段で所望の処理プログラムとの対応関係の検出を可能にするものとされ、
前記画像入力手段で読取られる画像情報及び前記処理プログラム検出手段で検出された処理プログラムをカプセル化してカプセル化文書が作成され、前記作成されたカプセル化文書が前記端末装置に送信される
ことを特徴とする印刷媒体。
【請求項９】
請求項８記載の印刷媒体において、
前記処理プログラムとの対応関係の検出を可能にする画像情報は該画像情報の中にコード情報を設けて前記処理プログラムとの対応付けを行い、
前記画像入力装置の画像入力手段で読取られる画像情報から前記コード情報を抽出して前記処理プログラムとの対応関係の検出が行われるようにした
ことを特徴とする印刷媒体。
【請求項１０】
請求項８記載の印刷媒体において、
前記処理プログラムとの対応関係の検出を可能にする画像情報は該画像情報を形成するテンプレートを予め指定して前記処理プログラムとの対応付けを行い、
前記画像入力装置の画像入力手段で読取られる画像情報から前記指定されたテンプレートを判別して前記処理プログラムとの対応関係の検出が行われるようにした
ことを特徴とする印刷媒体。
【請求項１１】
画像入力装置と端末装置とを有し、印刷媒体を併用して運用されるワークフローシステムに使用される画像情報処理方法であって、
前記印刷媒体には、前記画像入力装置の画像入力手段で読取られる画像情報が設けられると共に、前記画像情報は前記画像入力装置の処理プログラム検出手段で所望の処理プログラムとの対応関係の検出を可能にするものとされ、
前記画像入力手段で前記印刷媒体の画像情報を読取り、前記処理プログラム検出手段で前記印刷媒体に対応した任意の処理プログラムを検出し、前記画像入力手段で読取った画像情報及び前記処理プログラム検出手段で検出した処理プログラムをカプセル化してカプセル化文書を作成し、前記作成したカプセル化文書を前記端末装置に送信する
ことを特徴とする画像情報処理方法。
【請求項１２】
画像入力装置と端末装置とを有し、印刷媒体を併用して運用されるワークフローシステムであって、
前記画像入力装置には、前記印刷媒体の画像情報を読取る画像入力手段と、前記画像入力手段で読取った画像情報を参照して前記印刷媒体に対応した任意の処理プログラムを検出する処理プログラム検出手段と、前記画像入力手段で読取った画像情報及び前記処理プログラム検出手段で検出した処理プログラムをカプセル化してカプセル化文書を作成するカプセル化文書作成手段と、前記カプセル化文書作成手段で作成したカプセル化文書を前記端末装置に送信する送信手段とが設けられ、
前記印刷媒体には、前記処理プログラムとの対応関係の検出を可能にする任意の前記画像情報が設けられる
ことを特徴とするワークフローシステム。
【発明の詳細な説明】
【技術分野】
【０００１】
本発明は、例えば印刷媒体に記載された画像情報やその処理に用いる処理プログラムをカプセル化して扱う場合に好適な画像入力装置、印刷媒体、画像情報処理方法及びワークフローシステムに関する。詳しくは、印刷媒体等に記載された画像情報の読取りと処理プログラムとのカプセル化文書作成の処理が容易に行われるようにしたものである。
【背景技術】
【０００２】
カプセル化文書作成の手段として、本願出願人は先に文書のデータ構造、記憶媒体及び情報処理装置の発明を出願している（例えば、特許文献１、２参照。）。
【０００３】
また、印刷媒体に記載されたコード情報を判読して、対応する処理プログラムを検出するようにしているものもある（例えば、特許文献３参照。）。
【０００４】
すなわち、任意の電子データとその処理に用いるプログラムをカプセル化する技術は公知である。また、印刷媒体に記載されたコード情報を判読して、対応する処理プログラムを検出する技術も一般的に知られているものである。
【特許文献１】特開２００３−１５９４１号公報
【特許文献２】特開２００３−９９４２４号公報
【特許文献３】特開２００４−１９９５１７号公報
【発明の開示】
【発明が解決しようとする課題】
【０００５】
一般に申請書・帳票等の紙文書にはテンプレート情報が印刷されており、ユーザはテンプレート情報を閲覧しながら、申請等に必要な記入事項を紙文書へ加筆する。このテンプレート情報は電子文書形式で保管されていることが多く、電子文書のテンプレート情報を印刷することによって、ユーザが使用する申請書・帳票等の紙文書を簡易に作成することができる。また、電子文書のテンプレート情報を印刷すると同時に、光学的に読取り可能なコード情報（バーコード等）を紙文書へ印刷することで、ユーザが加筆した紙文書とテンプレート情報となる電子文書を関連付けることができる。
【０００６】
一方、申請書・帳票等を利用したワークフローシステムではユーザの加筆情報を活用するため、紙文書をスキャナ・複写機（ＭＦＰ）等の画像入力機器で加筆された紙文書を光学的に読取る。この際に紙文書のコード情報を同時に読取ることで紙文書とテンプレート情報となる電子文書が関連付けられる。この関連付け機能を使用して、ユーザによって加筆された紙文書の画像情報とテンプレート情報となる電子文書の画像情報との差分を取ることでユーザの加筆情報を検出し、検出した加筆情報を電子化してワークフローシステムで活用することなどが提案されている。
【０００７】
さらに、ワークフローシステムでは複数台のコンピュータで電子文書を活用するためには、ワークフローシステムを構成するコンピュータにグループウェアと呼ばれるプログラム（Lotus NotesやMicrosoft Exchange等）を導入することが多い。通常、グループウェアによって構築されたワークフローシステムには電子文書を管理する文書ＤＢ（データベース）があり、文書ＤＢには文書ＤＢ内にある電子文書のワークフロー処理を規定する規定情報が保持される。そしてグループウェアプログラムは、この規定情報を参照して所定のワークフロー処理を実行する。
【０００８】
そこで、紙文書を利用したワークフローシステムでは、グループウェアによって構築されたワークフローシステムに対応させるため、紙文書のコード情報に所定の文書ＤＢの位置情報（ＵＲＬ情報等）を保存しておき、画像入力装置で読取った際に位置情報を参照することで、紙文書から電子化された電子文書を所定の文書ＤＢへ挿入する。これより、グループウェアプログラムは、所定の文書ＤＢ内に設定された規定情報を参照して、紙文書から電子化された電子文書をワークフロー処理できる。
【０００９】
しかし、グループウェアによって構築されたワークフローシステムは、システムを構成するコンピュータの全てにグループウェア用のプログラムをインストールする必要がある。また、グループウェアで使用する文書ＤＢの設定・管理等を行う必要もある。従って、簡易なワークフロー処理を実現したいときでも、ワークフローシステムの構築に手間と費用がかかるため、画像入力機器は所有しているユーザであっても紙文書を利用したワークフローシステムの初期導入が困難であることが問題とされた。
【００１０】
すなわちこの問題は、例えば画像入力装置で紙文書を電子化して電子文書を作成した場合には、電子文書自体にはワークフロー処理を実行する機能が無いために、ワークフロー処理を実行する際にコンピュータにインストールされたグループウェアプログラムの機能を利用しなければならない、ことによって生じているものである。
【００１１】
これに対して、上記の特許文献１、２に記載された技術では、電子文書とワークフロー処理を実行する機能としての処理プログラムとを一つのカプセル化文書にすることで、処理を円滑に行うことができる。従って、このようなカプセル化文書の技術によれば、例えば紙文書（印刷媒体）を併用するワークフローシステムにおいて、その紙文書を電子化した電子文書と必要な処理プログラムとを一つのカプセル化文書にすることで、処理を円滑に行うことができるようになる。
【００１２】
ところが、上記のようなカプセル化文書を作成するに際しては、従来の技術では、必要な処理プログラムの選択や、さらにその処理プログラムに必要な設定を施す等の処理は、パーソナルコンピュータを用いて行わなければならず、またその作成に当ってデータ処理に関する比較的高度な知識を必要とされる。このため、従来の技術では、ワークフローシステムにおいて有効なカプセル化文書の作成を、容易に行うことができないという問題点が生じていた。
【００１３】
この発明はこのような問題点に鑑みて成されたものであって、本発明の主たる目的は、画像入力装置と端末装置とを有し、印刷媒体を併用して運用されるワークフローシステムにおいて、カプセル化文書の作成を簡単な設備で容易に行うことができるようにすることであり、これによって、印刷媒体（紙文書）に対するワークフロー処理が円滑に行われるようになる。
【課題を解決するための手段】
【００１４】
上記の課題を解決し、本発明の目的を達成するため、請求項１に記載された発明は、印刷媒体を併用して運用されるワークフローシステムを構成する画像入力装置であって、印刷媒体の画像情報を読取る画像入力手段と、画像入力手段で読取った画像情報を参照して印刷媒体に対応した任意の処理プログラムを検出する処理プログラム検出手段と、画像入力手段で読取った画像情報及び処理プログラム検出手段で検出された処理プログラムをカプセル化してカプセル化文書を作成するカプセル化文書作成手段と、カプセル化文書作成手段で作成したカプセル化文書を送信する送信手段とを有することを特徴とする画像入力装置である。
【００１５】
また、請求項２に記載の画像入力装置においては、印刷媒体に対応した任意の処理プログラムを保管する処理プログラム保管手段を有し、処理プログラム検出手段にて画像入力手段で読取った画像情報を参照して検出した印刷媒体に対応する任意の処理プログラムを処理プログラム保管手段から取り出し、取り出された任意の処理プログラムをカプセル化文書作成手段に供給することを特徴とするものである。
【００１６】
請求項３に記載の画像入力装置においては、印刷媒体に加筆された加筆情報を検出する加筆情報検出手段と、加筆情報検出手段で検出した加筆情報を参照して画像情報と共にカプセル化される処理プログラムの設定を行う処理プログラム設定手段とを有することを特徴とするものである。
【００１７】
請求項４に記載の画像入力装置においては、処理プログラムの設定を指示する処理プログラム設定指示手段と、処理プログラム設定指示手段で指示した設定情報を参照して画像情報と共にカプセル化される処理プログラムの設定を行う処理プログラム設定手段とを有することを特徴とするものである。
【００１８】
請求項５に記載の画像入力装置においては、処理プログラム設定手段はワークフロー処理におけるカプセル化文書の送信先情報を設定することを特徴とするものである。
【００１９】
請求項６に記載の画像入力装置においては、処理プログラム設定手段はワークフロー処理におけるカプセル化文書の操作処理権限情報を設定することを特徴とするものである。
【００２０】
請求項７に記載の画像入力装置においては、画像入力手段で印刷媒体を読取る際にカプセル化文書の作成の指示を行うカプセル化文書作成指示手段をさらに有することを特徴とするものである。
【００２１】
さらに、本発明の目的を達成するため、請求項８に記載された発明は、画像入力装置と端末装置と有するワークフローシステムに併用される印刷媒体であって、画像入力装置の画像入力手段で読取られる画像情報が設けられると共に、画像情報は画像入力装置の処理プログラム検出手段で所望の処理プログラムとの対応関係の検出を可能にするものとされ、画像入力手段で読取られる画像情報及び処理プログラム検出手段で検出された処理プログラムをカプセル化してカプセル化文書が作成され、作成されたカプセル化文書が端末装置に送信されることを特徴とする印刷媒体である。
【００２２】
また、請求項９に記載の印刷媒体においては、処理プログラムとの対応関係の検出を可能にする画像情報はこの画像情報の中にコード情報を設けて処理プログラムとの対応付けを行い、画像入力装置の画像入力手段で読取られる画像情報からコード情報を抽出して処理プログラムとの対応関係の検出が行われるようにしたことを特徴とするものである。
【００２３】
請求項１０に記載の印刷媒体においては、処理プログラムとの対応関係の検出を可能にする画像情報はこの画像情報を形成するテンプレートを予め指定して処理プログラムとの対応付けを行い、画像入力装置の画像入力手段で読取られる画像情報から指定されたテンプレートを判別して処理プログラムとの対応関係の検出が行われるようにしたことを特徴とするものである。
【００２４】
さらに、本発明の目的を達成するため、請求項１１に記載された発明は、画像入力装置と端末装置とを有し、印刷媒体を併用して運用されるワークフローシステムに使用される画像情報処理方法であって、印刷媒体には、画像入力装置の画像入力手段で読取られる画像情報が設けられると共に、画像情報は画像入力装置の処理プログラム検出手段で所望の処理プログラムとの対応関係の検出を可能にするものとされ、画像入力手段で印刷媒体の画像情報を読取り、処理プログラム検出手段で印刷媒体に対応した任意の処理プログラムを検出し、画像入力手段で読取った画像情報及び処理プログラム検出手段で検出した処理プログラムをカプセル化してカプセル化文書を作成し、作成したカプセル化文書を端末装置に送信することを特徴とする画像情報処理方法である。
【００２５】
さらに、本発明の目的を達成するため、請求項１２に記載された発明は、画像入力装置と端末装置とを有し、印刷媒体を併用して運用されるワークフローシステムであって、画像入力装置には、印刷媒体の画像情報を読取る画像入力手段と、画像入力手段で読取った画像情報を参照して印刷媒体に対応した任意の処理プログラムを検出する処理プログラム検出手段と、画像入力手段で読取った画像情報及び処理プログラム検出手段で検出した処理プログラムをカプセル化してカプセル化文書を作成するカプセル化文書作成手段と、カプセル化文書作成手段で作成したカプセル化文書を端末装置に送信する送信手段とが設けられ、印刷媒体には、処理プログラムとの対応関係の検出を可能にする任意の画像情報が設けられることを特徴とするワークフローシステムである。
【発明の効果】
【００２６】
本発明の画像入力装置、印刷媒体、画像情報処理方法及びワークフローシステムによれば、印刷媒体に設けられる画像情報を所望の処理プログラムとの対応関係が検出可能なものとし、画像入力手段で読取った画像情報により所望の処理プログラムを検出し、読取った画像情報と検出した処理プログラムをカプセル化するようにしたものであって、これによれば、カプセル化文書の作成を簡単な設備で容易に行うことができる。
【発明を実施するための最良の形態】
【００２７】
〔実施の形態１〕
以下、図面を参照して本発明を説明するに、図１は本発明による画像入力装置、印刷媒体、画像情報処理方法及びワークフローシステムを適用したシステム全体の一実施形態を示す構成図である。
【００２８】
図１において、例えば社内ＬＡＮ（Local Area Network）のようなネットワーク１０に画像入力装置１が接続されると共に、同じネットワーク１０に端末装置となるパーソナルコンピュータ（ＰＣ）２、３、４が接続されて、ワークフローシステム１００が構成される。
【００２９】
そして、このワークフローシステム１００を構成する画像入力装置１に印刷媒体となる紙文書５が挿入されると、この紙文書５に記載された画像情報が画像入力装置１の画像入力手段で読取られ、カプセル化文書ファイル６が作成されて、パーソナルコンピュータ（ＰＣ）２、３、４に送信される。さらに、カプセル化文書ファイル６を受信したパーソナルコンピュータ（ＰＣ）２、３、４では、カプセル化文書ファイル６内にある処理プログラムを実行してワークフロー処理を行う。
【００３０】
次に、カプセル化文書ファイル６の文書構造を図２に示す。ここで、カプセル化文書ファイルとは、電子文書の内容が記述された文書情報ファイル６１、６２と文書情報ファイルを動作処理する処理プログラムファイル６３、６４をカプセル化した電子文書構造を表す。この場合に、カプセル化文書ファイル６は処理プログラムを文書自体にカプセル化しているので、ワークフローシステム１００を構成するパーソナルコンピュータ２、３、４にワークフロー処理用のプログラムがインストールされていなくても、カプセル化文書ファイル内にある処理プログラムを実行することでワークフロー処理が実現できる。
【００３１】
またこの場合に、処理プログラムファイル６３、６４は、バイトコードを解釈して実行する仮想コンピュータ（Virtual Machine）上で動作処理できるプログラム言語で記述されることが望ましい。これにより、ワークフローシステム１００を構成するパーソナルコンピュータ２、３、４では、アプリケーションプログラムだけでなく、オペレーションシステム等のプラットフォームにも依存せず、カプセル化文書ファイル６の処理プログラムファイル６３、６４を動作させてワークフロー処理を実行できる。なお、カプセル化文書の詳細については上記の特許文献１、２に開示されている。
【００３２】
さらに、図３には、ワークフローシステム１００を構成する画像入力装置１の機能構成図を示す。この図３において、画像入力装置１は、画像入力手段１１、処理プログラム検出手段１２、処理プログラム保管手段１３、カプセル化文書作成手段１４、カプセル化文書送信手段１５から構成される。
【００３３】
ここで画像入力手段１１は、ワークフローで使用される紙文書５を光学的に読取って画像情報を入力する。光学的な読取り方法には、スキャナや複写機等のラインセンサを使用してもよく、あるいは書画カメラ等のエリアセンサを使用しても良い。また、処理プログラム検出手段１２は、画像入力手段１１で入力した画像情報を参照して、処理プログラム保管手段１３で保管されている処理プログラム群から画像情報にカプセル化する処理プログラムを検出する。
【００３４】
なお、処理プログラム検出手段１２は、例えばコード情報入力手段１２１とコード対応処理プログラム検出手段１２２から構成される。コード情報入力手段１２１は画像入力手段１１で紙文書５を読取ると同時に、紙文書５に付加されたコード情報を読取る。コード対応処理プログラム検出手段１２２は、処理プログラム保管手段１３で保管された処理プログラム群から読取ったコード情報と対応する処理プログラムを検出する。
【００３５】
また、処理プログラム保管手段１３は、画像入力手段１１で入力した画像情報にカプセル化するための処理プログラム群を保管する。保管する記憶媒体の例としては、画像入力装置１に取り付けられたＨＤＤ（ハードディスクドライブ）、光ディスク、半導体メモリ等が挙げられる。なお、この実施の形態における処理プログラム保管手段１３の保管データ形式の一例を図４に示す。
【００３６】
すなわち、図４において、この処理プログラム保管手段１３では、処理プログラムとコード情報が対応付けられて保管されており、処理プログラムには所定のワークフロー処理を実行するプログラムが記述されている。これにより、処理プログラム検出手段１２から処理プログラムの要求情報としてコード情報を処理プログラム保管手段１３に受け渡すと、処理プログラム保管手段１３からコード情報に対応した処理プログラムが処理プログラム検出手段１２に返却される。
【００３７】
さらに、カプセル化文書作成手段１４は、画像入力手段１１で入力した画像情報（文書情報ファイル６１、６２）と処理プログラム保管手段１３から返却される処理プログラムファイル６３、６４をカプセル化することでカプセル化文書ファイルを作成する。カプセル化文書ファイルの作成は、紙文書５から読取られた文書情報ファイル６１、６２と処理プログラムファイル６３、６４を書庫ファイル形式のファイルに変換し、起動時に実行させる処理プログラム部分を指定することで作成できる。
【００３８】
従って、このようなカプセル化文書作成手段１４では、例えば処理能力の低い画像入力装置１であっても、文書情報ファイル６１、６２と処理プログラムファイル６３、６４があれば容易に作成することができる。また上述の構成によれば、例えば処理プログラム保管手段１３に保管された処理プログラムを変更することで、カプセル化文書ファイル６のワークフロー処理内容を編集することもできる。
【００３９】
そして、カプセル化文書送信手段１５では、カプセル化文書作成手段１４で作成したカプセル化文書ファイル６を、ワークフロー処理を行うパーソナルコンピュータ２、３、４へ送信する。なお、カプセル化文書ファイル６の送信は、画像入力装置１でカプセル化文書ファイル６の処理プログラムを実行することで送信先のパーソナルコンピュータ２、３、４を検出しても良いし、画像入力装置１に対してカプセル化文書ファイル６を送信する送信先のパーソナルコンピュータ２、３、４を予め指定しておいても良い。
【００４０】
さらに図５を用いて、画像入力装置１によって紙文書５からカプセル化文書ファイル６を作成する際の処理動作をフローチャートに従って説明する。
【００４１】
この図５において、まずステップＳ１では、ワークフローシステム１００で使用する紙文書５のテンプレート情報５１を作成する。申請書・帳票等のワークフローシステムで使用する紙文書５には、ユーザが記入事項を加筆しやすいように、例えば図６に示すような基準となるテンプレート情報５１を印刷する。そしてステップＳ２では、ステップＳ１で作成したテンプレート情報５１を特定するコード情報５２を生成する。
【００４２】
また、ステップＳ３では、ステップＳ１で作成したテンプレート情報５１に対応してワークフロー処理を実行する処理プログラムを作成する。この処理プログラムの詳細に関しては後述する。さらにステップＳ４では、ステップＳ２で生成したコード情報５２とステップＳ３で作成した処理プログラムを対応付けて、画像入力装置の処理プログラム保管手段に保管する。そしてステップＳ５では、ステップＳ１で作成したテンプレート情報５１とステップＳ２で生成したコード情報５２を用紙に印刷してユーザが加筆するための紙文書５を作成する。
【００４３】
以上、ステップＳ１からステップＳ５までの処理を実行することで、ユーザが加筆するための紙文書５の作成とワークフローシステム１００で使用するカプセル化文書ファイル６の作成準備が完了する。そこで、ステップＳ６からステップＳ１０までの処理は、ユーザが紙文書５に加筆した後に実行されるワークフロー処理となる。
【００４４】
すなわちステップＳ６では、ユーザによって加筆された紙文書５の画像情報を画像入力装置１で入力する。画像入力装置１にカプセル化文書の作成を指示するカプセル化文書作成指示ボタン（図示せず）を設置することで、紙文書５を入力する際に、ユーザに紙文書５からカプセル化文書ファイル６を作成するか否かを選択できるようにしても良い。このカプセル化文書作成指示ボタンは、画像入力装置１の操作パネル等に設置することができる。
【００４５】
さらに、ステップＳ７では紙文書５に印刷されたコード情報５２を検出する。なお、ステップＳ６、Ｓ７で画像情報とコード情報５２を入力した際に、ユーザによって加筆された画像情報とテンプレート情報５１の画像情報との差分を取ることで、加筆情報を抽出する処理を行っても良い。そしてステップＳ８では、処理プログラム保管手段１３に保管された処理プログラム群からステップＳ７で検出したコード情報５２に対応する処理プログラムを検出する。
【００４６】
また、ステップＳ９では、ステップＳ６で入力した画像情報とステップＳ８で検出した処理プログラムとをカプセル化することでカプセル化文書ファイル６を作成する。さらにステップＳ１０では、ステップＳ９で作成したカプセル化文書ファイル６をワークフロー処理するパーソナルコンピュータ２、３、４へ送信する。以上の処理を実行することで画像入力装置１によって紙文書５からカプセル化文書ファイル６を作成することができる。
【００４７】
なお、ステップＳ１からステップＳ５までの処理は、予め画像入力装置１の提供者側で実行しておいても良い。これにより、ワークフローシステム１００のユーザは、画像入力装置１で紙文書５を入力するだけでワークフロー処理を実行するカプセル化文書ファイル６を作成することが可能となる。
【００４８】
次に、画像入力装置１で作成されたカプセル化文書ファイル６によるワークフロー処理の一例に関して記載する。ここでのワークフロー処理用のカプセル化文書ファイル６の文書構造を図７に示す。このカプセル化文書ファイル６において、文書情報ファイル６１は紙文書５の画像情報６５であり、一方、処理プログラム６３は、例えば転送プログラム６６、編集プログラム６７、記録プログラム６８から構成される。
【００４９】
この場合に、転送プログラム６６はカプセル化文書ファイル６を所定のパーソナルコンピュータ２、３、４へ転送するプログラムである。転送プログラム６６の一例としては、ＳＭＴＰ等の通信プロトコルを使用して電子メールの添付文書としてワークフロー処理を行うユーザへカプセル化文書ファイルを転送しても良い。
【００５０】
これにより、ユーザは電子メールを使用できれば、カプセル化文書ファイル６を簡単に受信することができる。また、カプセル化文書ファイル６の送信先情報は、画像入力装置１の処理プログラム保管手段１３に保管されている処理プログラム６３に予め設定されており、紙文書５を読取った際にコード情報５２と対応する処理プログラム６３をカプセル化したときのカプセル化文書ファイル６の送信先が指定される。
【００５１】
また、編集プログラム６７はカプセル化文書ファイル６の文書情報ファイル６１に対して編集処理を行うプログラムである。編集処理の一例としては、文書情報ファイル６１に注釈事項やユーザの署名情報を加えることが挙げられる。また、編集プログラムはワークフロー処理内容に応じて文書情報ファイルの編集権限が各ユーザに設定される。
【００５２】
ここで、カプセル化文書ファイル６の文書情報ファイル６１に対する編集権限の設定情報は、画像入力装置１の処理プログラム保管手段１３に保管されている処理プログラムに予め設定されており、紙文書５を読取った際にコード情報５２と対応する処理プログラムをカプセル化したときの文書情報ファイル６への編集権限が設定される。
【００５３】
さらに記録プログラム６８はカプセル化文書ファイル６に対して行われた編集処理、転送処理内容をカプセル化文書ファイル６内に記録するプログラムである。カプセル化文書ファイル６内に記録された編集処理、転送処理内容を閲覧することで、カプセル化文書ファイル６を編集した人物や編集した時刻などの編集履歴を確認することができる。
【００５４】
そして、カプセル化文書ファイル６でこれらの処理プログラムを実行させ、所定のユーザのパーソナルコンピュータ２、３、４へカプセル化文書ファイル６を転送し、所定のユーザがカプセル化文書ファイル６を編集していくことでワークフロー処理を実現する。
【００５５】
以上により、画像入力装置１で紙文書５を読取った際に、紙文書５の画像情報と紙文書５のコード情報５２に対応した処理プログラム６３をカプセル化したカプセル化文書ファイル６を作成することで、ワークフローシステムを構成するパーソナルコンピュータ２、３、４にグループウェア等のプログラムがインストールされていなくても、ワークフロー処理が実現可能なワークフローシステム１００を提供できる。
【００５６】
従って、上述の実施の形態１において、印刷媒体に設けられる画像情報を所望の処理プログラムとの対応関係が検出可能なものとし、画像入力手段で読取った画像情報により所望の処理プログラムを検出し、読取った画像情報と検出した処理プログラムをカプセル化するようにしたものであって、これによれば、カプセル化文書の作成を簡単な設備で容易に行うことができる。
【００５７】
これによって、従来の技術では、ワークフローシステムにおいて有効なカプセル化文書の作成を行う際に、必要な処理プログラムの選択やその処理プログラムに必要な設定を施す等の処理はパーソナルコンピュータを用いて行わなければならず、またその作成に当ってデータ処理に関する比較的高度な知識を必要とされ、カプセル化文書の作成を容易に行うことができないという問題点があったものを、本発明によれば容易にその問題点を解決することができる。
【００５８】
〔実施の形態２〕
ところで、上述の実施の形態１では、紙文書５に印刷されたコード情報５２を参照して紙文書５に対応する処理プログラムを検出しているが、それに換えて、紙文書５の画像情報（具体的にはテンプレート５１）を参照して紙文書５に対応する処理プログラムを検出することで、紙文書５からワークフロー処理を実行するカプセル化文書ファイル６を作成することが可能である。その手段を実施の形態２とする。
【００５９】
すなわちこの場合に、紙文書５を利用したワークフローシステム構成図（図１）とカプセル化文書ファイル６の文書構造（図２）と画像入力装置１の全体的な機能構成図（図３）は、上述の実施の形態１と同様である。これに対して、以下に述べる実施の形態２においては、画像入力装置１の処理プログラム検出手段１２における処理プログラムの検出方法と処理プログラム保管手段１３の処理プログラムの保管方法が上述の実施の形態１と異なる。
【００６０】
そこで、実施の形態２における処理プログラム検出手段１２は、図８に示すように、類似画像検索手段１２３と、画像情報対応処理プログラム検出手段１２４から構成される。類似画像検索手段１２３は、処理プログラム保管手段１３で保管されている紙文書５のテンプレート画像情報群から画像入力手段１１で紙文書５を読取った紙文書５の画像情報と類似するテンプレート画像情報を検出するものである。
【００６１】
類似画像検索方法の一例としては、テンプレート画像情報群から特徴量を算出して特徴量の類似度を比較することが挙げられる。画像情報の特徴量は、全体色、色分布、輪郭、模様などが挙げられる。一般に画像情報の特徴量は多次元ベクトルデータとして表現される。従って画像情報の類似度の判定は、特徴量ベクトル空間内の距離に表現できるので、特徴量ベクトル同士のユークリッド距離を測定することで類似度を比較できる。
【００６２】
また、ユーザによって加筆される部分が特定されている申請書等の紙文書５では、加筆部分を除外してから類似画像を検索しても良い。加筆部分の除外処理に時間がかかる場合には、最初に加筆部分の除外処理をせずに類似画像検索を行って候補画像情報群を検索し、その後に候補画像情報群のテンプレート情報を参照して加筆部分の除外処理をしてから類似画像検索を行うことで対象となるテンプレート画像情報を検索しても良い。これによって、加筆部分の除外処理により加筆部分の影響を受けずに類似画像検索が実行できるため、テンプレート画像情報の検索精度を向上させることができる。
【００６３】
さらに、画像情報対応処理プログラム検出手段１２４は、処理プログラム保管手段１３で保管された処理プログラム群から類似画像検索手段１２３で検索したテンプレート画像情報に対応する処理プログラムを検出する。
【００６４】
そこで、実施の形態２における処理プログラム保管手段１３の保管データ形式の一例を図９に示す。図示のように、処理プログラム保管手段１３には、処理プログラムとテンプレート画像情報が対応付けられて保管されており、処理プログラムには所定のワークフロー処理を実行するプログラムが記述されている。また処理プログラム保管手段１３では、テンプレート画像情報を保管する代わりにテンプレート画像情報の特徴量を保管しても良い。
【００６５】
こうして、処理プログラムの要求情報として画像入力装置１で読取った紙文書５の画像情報を類似画像検索手段１２３に受け渡すと、画像情報対応処理プログラム検出手段１２４では、紙文書５の画像情報からテンプレート画像情報が検索され、検索されたテンプレート画像情報に対応した処理プログラムが処理プログラム保管手段１３から返却される。
【００６６】
以上のようにして、実施の形態２の処理プログラム検出手段１２で検出された処理プログラムと、画像入力手段１１で読取られた紙文書５の画像情報を、実施の形態１と同様にカプセル化することで、画像入力装置１を利用して紙文書５からワークフロー処理を実現するカプセル化文書ファイル６を作成することができる。
【００６７】
さらに、この実施の形態２において、画像入力装置１によって紙文書５からカプセル化文書ファイル６を作成する際のフローチャートを図１０に示す。
【００６８】
この図１０において、ステップＳ２１では、ワークフローシステムで使用する紙文書のテンプレート画像情報を作成する。ステップＳ２２では、ステップＳ２1で作成したテンプレート画像情報に対応してワークフロー処理を実行する処理プログラムを作成する。ステップＳ２３では、ステップＳ２１で作成したテンプレート画像情報とステップＳ２３で作成した処理プログラムを対応付けて、画像入力装置の処理プログラム保管手段に保管する。ステップＳ２４では、ステップＳ２１で作成したテンプレート画像情報を紙文書に印刷してユーザが加筆するための紙文書を作成する。
【００６９】
以上、ステップＳ２１からステップＳ２４までの処理を実行することで、ユーザが加筆するための紙文書の作成とワークフローシステムで使用するカプセル化文書ファイルの作成準備が完了する。ステップＳ２５からステップＳ２９までの処理は、ユーザが紙文書に加筆した後に実行されるワークフロー処理となる。
【００７０】
ステップＳ２５ではユーザによって加筆された紙文書の画像情報を画像入力装置で入力する。ステップＳ２６では、ステップＳ２５で入力した紙文書の画像情報を使用して、処理プログラム保管手段に保管されたテンプレート画像情報群から紙文書の画像情報と類似したテンプレート画像情報を検索する。ステップＳ２７では、処理プログラム保管手段に保管された処理プログラム群からステップＳ２６で検索したテンプレート画像情報に対応する処理プログラムを検出する。
【００７１】
ステップＳ２８では、ステップＳ２５で入力した画像情報とステップ７で検出した処理プログラムとをカプセル化することでカプセル化文書ファイルを作成する。ステップＳ２９では、ステップＳ２８で作成したカプセル化文書ファイルをワークフロー処理するコンピュータへ送信する。以上の処理を実行することで紙文書にコード情報が印刷されていなくても、画像入力装置を利用して紙文書からワークフロー処理を実現するカプセル化文書を作成することができる。
【００７２】
このようにして、上述の実施の形態２においても、印刷媒体に設けられる画像情報を所望の処理プログラムとの対応関係が検出可能なものとし、画像入力手段で読取った画像情報により所望の処理プログラムを検出し、読取った画像情報と検出した処理プログラムをカプセル化することができ、これによれば、ワークフローシステムにおいて有効なカプセル化文書の作成を簡単な設備で容易に行うことができる。
【００７３】
〔実施の形態３〕
さらに、実施の形態３ではユーザが紙文書５に加筆した加筆情報、または画像入力装置１に設置された処理プログラム設定指示手段から入力されたの設定指示情報に従って、カプセル化文書ファイル６の処理プログラムの設定内容を変更することを特徴とする。この場合に、紙文書５を利用したワークフローシステム構成図（図１）とカプセル化文書ファイル６の文書構造（図２）と画像入力装置１の機能構成図（図３）は実施の形態１と同様である。
【００７４】
ただし、実施の形態３においては、カプセル化文書ファイル６の送信先情報や編集権限情報等の設定方法が実施の形態１と異なる。すなわち実施の形態１では、紙文書５のテンプレート情報を作成する際に予めカプセル化文書ファイル６の送信先情報や編集権限情報等を画像入力装置１に保管されている処理プログラム群に設定しておくが、実施の形態３では画像入力装置１で紙文書５を読取った際に紙文書５にカプセル化する処理プログラムへ送信先情報や編集権限情報等を設定する。
【００７５】
この実施の形態３において、画像入力装置１によって紙文書５からカプセル化文書ファイル６を作成する際のフローチャートを図１１に示す。ただし、このフローチャートにおいて、ステップＳ１からステップＳ５までのユーザが加筆するための紙文書５の作成とワークフローシステム１００で使用するカプセル化文書ファイル６の作成準備の処理は実施の形態１と同様であるので逗子及び重複の説明を割愛する。
【００７６】
そこで、ステップＳ３１では、ユーザによって加筆された紙文書５の画像情報を画像入力装置１で入力する。画像入力装置１にカプセル化文書の作成を指示するカプセル化文書作成指示ボタン（図示せず）を設置することで、紙文書５を入力する際に、ユーザに紙文書５からカプセル化文書ファイル６を作成するか否かを選択できるようにしても良い。このカプセル化文書作成指示ボタンは、画像入力装置１の操作パネル等に設置することができる。
【００７７】
さらに、ステップＳ３２では紙文書５に印刷されたコード情報５２を検出する。なお、ステップＳ３１、Ｓ３２で画像情報とコード情報５２を入力した際に、ユーザによって加筆された画像情報とテンプレート情報５１の画像情報との差分を取ることで、加筆情報を抽出する処理を行っても良い。そしてステップＳ３３では、処理プログラム保管手段１３に保管された処理プログラム群からステップＳ３２で検出したコード情報５２に対応する処理プログラムを検出する。
【００７８】
そして、ステップＳ３４では、ユーザが紙文書５に加筆した加筆情報を検出する。加筆情報の検出方法としては、画像入力装置１で読取った紙文書５の画像情報とテンプレート画像情報５１との差分処理を行うことが挙げられる。ステップＳ３５では、ユーザが画像入力装置１の、例えば操作パネルに設けられる処理プログラム設定指示手段で入力した設定指示情報を取得する。なお、処理プログラム設定指示手段の一例を図１２に示す。
【００７９】
すなわち図１２において、操作パネルのディスプレイ上にカプセル化文書ファイル６の送信先情報、編集権限情報を表示してユーザに選択させることで、カプセル化文書ファイルの処理プログラムの設定指示を行うことができる。操作権限情報の一例としては、注釈、署名、改定などの捜査権限許可が挙げられる。注釈許可ではカプセル化文書ファイル６内にある文書情報ファイル６１の画像情報にユーザが重層して注釈情報を追記することを許可する。署名許可ではカプセル化文書ファイル６にユーザの署名情報を追記することを許可する。改定許可では文書情報ファイル６１の内容を改定することを許可する。
【００８０】
さらに、ステップＳ３６では、ステップＳ３４で検出した加筆情報又はステップＳ３５で取得した設定指示情報を参照して、ステップＳ３３で検出した処理プログラムにカプセル化文書ファイル６の送信先情報を設定する。ステップＳ３７では、ステップＳ３４で検出した加筆情報又はステップＳ３５で取得した設定指示情報を参照して、ステップＳ３３で検出した処理プログラムに文書情報ファイルの操作権限情報を設定する。
【００８１】
ステップＳ３８、Ｓ３９では、ステップＳ３６、Ｓ３７で設定した処理プログラムと紙文書５の画像情報を実施の形態１と同様にカプセル化してカプセル化文書ファイル６を作成し、設定した送信先のパーソナルコンピュータ２、３、４へカプセル化文書ファイル６を送信する。以上の処理を実行することで、テンプレート情報を作成した後でもカプセル化文書ファイル６のワークフロー処理の設定が変更可能な画像入力装置を提供できる。
【００８２】
こうして本発明の画像入力装置によれば、印刷媒体を併用して運用されるワークフローシステムを構成する装置であって、印刷媒体の画像情報を読取る画像入力手段と、画像入力手段で読取った画像情報を参照して印刷媒体に対応した任意の処理プログラムを検出する処理プログラム検出手段と、画像入力手段で読取った画像情報及び処理プログラム検出手段で検出された処理プログラムをカプセル化してカプセル化文書を作成するカプセル化文書作成手段と、カプセル化文書作成手段で作成したカプセル化文書を送信する送信手段とを有することにより、カプセル化文書の作成を簡単な設備で容易に行うことができるものである。
【００８３】
また、本発明の印刷媒体によれば、画像入力装置と端末装置と有するワークフローシステムに併用される印刷媒体であって、画像入力装置の画像入力手段で読取られる画像情報が設けられると共に、画像情報は画像入力装置の処理プログラム検出手段で所望の処理プログラムとの対応関係の検出を可能にするものとされ、画像入力手段で読取られる画像情報及び処理プログラム検出手段で検出された処理プログラムをカプセル化してカプセル化文書が作成され、作成されたカプセル化文書が端末装置に送信されることにより、カプセル化文書の作成を簡単な設備で容易に行う印刷媒体を提供することができるものである。
【００８４】
さらに、本発明の画像情報処理方法によれば、画像入力装置と端末装置とを有し、印刷媒体を併用して運用されるワークフローシステムに使用される方法であって、印刷媒体には、画像入力装置の画像入力手段で読取られる画像情報が設けられると共に、画像情報は画像入力装置の処理プログラム検出手段で所望の処理プログラムとの対応関係の検出を可能にするものとされ、画像入力手段で印刷媒体の画像情報を読取り、処理プログラム検出手段で印刷媒体に対応した任意の処理プログラムを検出し、画像入力手段で読取った画像情報及び処理プログラム検出手段で検出した処理プログラムをカプセル化してカプセル化文書を作成し、作成したカプセル化文書を端末装置に送信することにより、カプセル化文書の作成を簡単な設備で容易に行うことができるものである。
【００８５】
さらに、本発明のワークフローシステムによれば、画像入力装置と端末装置とを有し、印刷媒体を併用して運用されるシステムであって、画像入力装置には、印刷媒体の画像情報を読取る画像入力手段と、画像入力手段で読取った画像情報を参照して印刷媒体に対応した任意の処理プログラムを検出する処理プログラム検出手段と、画像入力手段で読取った画像情報及び処理プログラム検出手段で検出した処理プログラムをカプセル化してカプセル化文書を作成するカプセル化文書作成手段と、カプセル化文書作成手段で作成したカプセル化文書を端末装置に送信する送信手段とが設けられ、印刷媒体には、処理プログラムとの対応関係の検出を可能にする任意の画像情報が設けられることにより、カプセル化文書の作成を簡単な設備で容易に行うことができるものである。
【００８６】
なお本発明は、上述の説明した実施形態に限定されるものではなく、特許請求の範囲の記載を逸脱しない範囲において、種々の変形が可能とされるものである。
【図面の簡単な説明】
【００８７】
【図１】本発明による画像入力装置、印刷媒体、画像情報処理方法及びワークフローシステムを適用したシステム全体の一実施形態を示す構成図である。
【図２】カプセル化文書ファイルの文書構造を示す線図である。
【図３】実施の形態１における画像入力装置の機能構成を示す構成図である。
【図４】処理プログラム保管手段の保管データ形式を示す線図である。
【図５】紙文書からカプセル化文書ファイルを作成する際の処理動作を示すフローチャート図である。
【図６】印刷媒体の構成を示す線図である。
【図７】ワークフロー処理用のカプセル化文書ファイルの文書構造を示す線図である。
【図８】実施の形態２における画像入力装置の機能構成を示す構成図である。
【図９】実施の形態２における処理プログラム保管手段の保管データ形式を示す線図である。
【図１０】実施の形態２における紙文書からカプセル化文書ファイルを作成する際の処理動作を示すフローチャート図である。
【図１１】実施の形態３における紙文書からカプセル化文書ファイルを作成する際の処理動作を示すフローチャート図である。
【図１２】実施の形態３における処理プログラム設定指示手段の構成図である。
【符号の説明】
【００８８】
１０…ネットワーク、１００…ワークフローシステム、１…画像入力装置、２，３，４…パーソナルコンピュータ（ＰＣ）、５…印刷媒体となる紙文書、６…カプセル化文書ファイル
【図１】
2007034406.tif 000003
【図２】
2007034406.tif 000004
【図３】
2007034406.tif 000005
【図４】
2007034406.tif 000006
【図５】
2007034406.tif 000007
【図６】
2007034406.tif 000008
【図７】
2007034406.tif 000009
【図８】
2007034406.tif 000010
【図９】
2007034406.tif 000011
【図１０】
2007034406.tif 000012
【図１１】
2007034406.tif 000013
【図１２】
2007034406.tif 000014